(57)【要約】【課題】プロジェクタに用いる高圧放電ランプにおける発光管の失透を防止するための製造方法を提供する。【解決手段】タングステン電極を有し石英ガラスからなる発光管を光源として、実使用点灯において水平設置される高圧放電ランプの製造方法において、高圧放電ランプの出荷前に、発光管の光軸を水平にして発光管を初回点灯させる工程を含み、初回点灯させる工程での発光管の光軸に関する回転角が、実使用点灯での発光管の光軸に関する回転角に対して４５°以上１３５°以下の角度をなす構成とした。【選択図】図４Ａ
2010021095.tif 000002
【特許請求の範囲】
【請求項１】
タングステン電極を有し石英ガラスからなる発光管を光源として、実使用点灯において水平設置される高圧放電ランプの製造方法であって、
（Ａ）該発光管を製作する工程、
（Ｂ）該発光管を初回点灯させる工程、及び
（Ｃ）該発光管を、実使用における鉛直軸が決まっている反射鏡に取り付ける工程
を含み、
前記工程（Ａ）が前記発光管の封止部に第１のマークを形成する工程を含み、
前記工程（Ｂ）が、前記発光管の光軸を水平にして、該光軸に垂直な面において前記第１のマークが該光軸から横方向に位置するように固定して点灯する工程からなり、前記横方向が鉛直方向から４５°以上１３５°以下の範囲であり、
前記工程（Ｃ）が、（ｃ１）前記第１のマークが前記鉛直軸上に位置するように前記発光管を前記反射鏡に装着する工程を含む製造方法。
【請求項２】
タングステン電極を有し石英ガラスからなる発光管を光源として、実使用点灯において水平設置される高圧放電ランプの製造方法であって、
（Ａ）該発光管を製作する工程、
（Ｂ）該発光管を初回点灯させる工程、及び
（Ｃ）該発光管を、実使用における水平軸が決まっている反射鏡に取り付ける工程
を含み、
前記工程（Ａ）が前記発光管の封止部に第１のマークを形成する工程を含み、
前記工程（Ｂ）が、前記発光管の光軸を水平にして、該光軸に垂直な面において前記第１のマークが該光軸から縦方向に位置するように固定して点灯する工程からなり、前記縦方向が鉛直方向から±４５°の範囲であり、
前記工程（Ｃ）が、（ｃ１）前記第１のマークが前記水平軸上に位置するように前記発光管を前記反射鏡に装着する工程を含む製造方法。
【請求項３】
請求項１又は２記載の製造方法において、前記反射鏡の実使用における鉛直軸又は水平軸が第２のマークによって表示されており、
前記工程（ｃ１）が、前記第１のマーク及び前記第２のマークが前記光軸を含む同一平面上に位置するように前記発光管を前記反射鏡に装着する工程からなる製造方法。
【請求項４】
請求項１又は２記載の製造方法であって、さらに、
前記工程（Ｃ）が、さらに、
（ｃ２）前記光軸を水平に保ち、該光軸に対する前記第１のマークの方向が前記工程（Ｂ）と同一になるように固定して前記発光管を点灯させ、前記反射鏡に対する該発光管の位置を決める工程、及び
（ｃ３）前記発光管を前記反射鏡に固着する工程
を含む製造方法。
【請求項５】
請求項１又は２記載の製造方法であって、さらに、
前記工程（Ｃ）の後に、
（Ｄ）前記光軸を水平に保ち、該光軸に対する前記第１のマークの方向が前記工程（Ｂ）と同一になるように固定して前記発光管を検査点灯する工程
を含む製造方法。
【請求項６】
請求項１又は２記載の製造方法において、前記第１のマークがレーザーマークによる印字である製造方法。
【請求項７】
請求項１又は２記載の製造方法において、前記第１のマークがロットマークである製造方法。
【請求項８】
タングステン電極を有し石英ガラスからなる発光管を光源として、実使用点灯において水平設置される高圧放電ランプの製造方法であって、
該高圧放電ランプの出荷前に、前記発光管の光軸を水平にして該発光管を初回点灯させる工程を含み、
前記初回点灯させる工程での前記発光管の光軸に関する回転角が、実使用点灯での前記発光管の光軸に関する回転角に対して４５°以上１３５°以下の角度をなしていることを特徴とする製造方法。
【請求項９】
請求項８記載の製造方法であって、
前記初回点灯させる工程の前に、前記発光管の封止部にロットマークを付す工程を含み、前記発光管の光軸に関する回転角が前記ロットマークの位置によって決定される製造方法。
【発明の詳細な説明】
【技術分野】
【０００１】
本発明は高圧放電ランプの製造方法に関する。より詳しくは、プロジェクタに用いる高圧放電ランプにおける発光管の失透を防止するための製造方法に関する。
【背景技術】
【０００２】
図１にプロジェクタ用の高圧放電ランプの一般的な製造方法を示す。
ステップＳ１００において発光管が作製される。この発光管作製工程では、石英ガラスからなる発光管の発光部にアルゴン、ハロゲン、水銀等が封入され、発光部の両端に封止部が形成される。発光部内にはタングステンからなる電極が配置され、それらにモリブ箔が付される。また、必要に応じて封止部にロット番号がレーザーマークにより印字される。
ステップＳ１１０において数分から数時間の初回点灯が行なわれる。この初回点灯工程はエージングやスクリーニング等を目的とするものである。
【０００３】
ステップＳ１２０において発光管にリード線及び必要に応じてトリガー線が取り付けられる。
ステップＳ１３０において発光管の反射鏡への取り付けが行なわれる。この取り付け工程には、発光管を反射鏡に装着する工程、反射鏡に対する発光管の位置を決める工程、及び双方を固着する工程が含まれる。位置決め工程では、一般的には発光管を点灯させた状態で反射鏡に対して最適な位置に合わせる作業が行なわれる。
ステップＳ１４０において必要な場合は検査点灯が行なわれる。ここでは照度等が仕様に適合しているか、光軸にずれはないか等が確認される。
完成した高圧放電ランプはステップＳ１４０の後にステップＳ２００においてプロジェクタの本体に組み込まれ、プロジェクタが完成する。
【０００４】
プロジェクタの使用態様には据置きタイプと天吊りタイプがあり、天吊りタイプでは据置きタイプのプロジェクタをそのまま逆さにし、画像のみを反転させることになる。
従来では、据置きタイプでの利用が一般的であったのに対し、近年では文教用として天吊りタイプでの利用が増加しており、初回点灯と実使用点灯での上下方向が逆さになる使用態様が増えてきた。
このような状況の中で、我々は試作実験を重ねた結果、据置きタイプと天吊りタイプでランプの失透発生時間に差異があることをつきとめ、分析の結果以下のような失透のメカニズムであると推測している。
なお、本明細書において「点灯」とは水平点灯を意味するものとする。
【０００５】
（１）発光管の電極作製の際に生じたバリや表面改質層が電極表面に残留する。
（２）発光管の初回点灯開始後数秒程度で、電極表面のバリ等が水銀とともに発光管内に飛散して内壁に付着する。
（３）発光管温度が上昇して水銀が蒸発していく過程で、発光管の上部と下部に温度差が生じる。即ち、上部の温度が高く、下部の温度が低い状態となる。
（４）初回点灯開始後数十秒程度で、温度の高い内壁上部の水銀及びタングステン残留物が除去される。
（５）初回点灯開始後数数十秒程度で、発光管内全体の温度が上昇し、内壁下部の水銀も蒸発するが、タングステン残留物は除去されずに残る。
（６）初回点灯が終了すると、水銀は電極付近に付着するが内壁下部に残ったタングステン残留物はそのまま内壁下部に付着する。
（７）実使用での点灯が上記初回点灯と同じ向きで行なわれれば失透はほとんど発生しない。一方、実使用での点灯で上下が逆さになった場合、タングステン残留物が残っている当初の最下部が最上部に配置されることになる。その結果、タングステン残留物付着部分がランプ点灯時の最高温点に位置する。
（８）これにより、タングステン残留物付着部分を核に純石英がクリストバライドに変化して失透が発生する。
【０００６】
据置きタイプでは、普通に使用すれば初回点灯と実使用点灯での上下方向が一致し、タングステン付着部は下部（低温部）に位置することになり、失透発生の問題はほとんどなかった。
しかし、天吊りタイプでの利用は、実使用での上下方向を特定して高圧放電ランプやプロジェクタを製造することができなくなった。従って、同じ製造方法で製造した高圧放電ランプを据置きタイプで利用しても天吊りタイプで利用しても失透を防止する対策が課題となっている。
【０００７】
この失透の問題に対処する一方法として、例えば特許文献１には、点灯装置とともに回転モータを備え、そのモータにより発光管ないしは高圧放電ランプを必要に応じて回転させ（例えば、点灯、消灯などのイベント毎に所定の角度ずつ回転させ）、発光管の特定の部分が最上部、即ち、最高温部に固定されないようにする技術が開示されている。
これにより、イベント毎に発光管の上部となる位置を変化させ、タングステン残留物付着部分が高温部に固定されることを回避して失透発生を防止するものである。
【特許文献１】特開２００７−４８７３６号公報
【発明の開示】
【発明が解決しようとする課題】
【０００８】
しかし、特許文献１の技術によると以下の問題がある。
第１に失透防止の効果の問題として、初回点灯で特定の箇所にタングステン残留物の付着した後に、実点灯中にその位置を回転させて変化させていくことで失透防止の効果が十分に得られるのかという問題がある。特に、初回点灯でタングステン残留物が付着した箇所が実点灯での回転によって最上部に位置する期間には失透発生がかえって促進されてしまうことが予想される。
【０００９】
第２に現実の使用態様の問題として、同文献の技術を使用する場合、プロジェクタ内にモータ等の部材を搭載する必要がある。モータ及びその駆動装置を搭載すると、当然にプロジェクタのコストアップ、大型化、重量アップが避けられない。特に、天吊りタイプを想定した場合、プロジェクタは小型かつ軽量とすることが望ましく、モータ等の搭載はこの要求に逆行するものである。
【００１０】
第３に技術の汎用性の問題として、同文献の技術をプロジェクタに適用した場合に、回転モータが装備されていない既存のプロジェクタを所有するユーザに対する解決策を提供するものではない。
【００１１】
第４の製品の安全性・信頼性の問題として、同文献の技術は給電側（点灯装置）に対して受電側（ランプ）が回転する構成を採用するものであるが、回転による配線のねじれを防止し、あるいは電気的接触点を確実に確保する必要があり、配線や接点の信頼性の確保が問題となる。特に、高圧放電ランプはその始動時に高圧パルスの印加が必要であるため、装置の安全性の観点からも回転系の構成（接点や配線が移動する構成）は極力避けるべきである。
【００１２】
従って、まず、確実に失透を防止する方法を実現する必要がある。
その上で、プロジェクタのコストアップ、大型化及び重量アップを伴わないで失透を防止する対策が要求される。
また、プロジェクタ本体の改良ではなく、高圧放電ランプ側での改良により失透の問題を解決できればよい。なぜなら、これにより既存のプロジェクタにおいて、当初のランプを改良されたランプに交換するだけで天吊りタイプの失透の問題を解消できるからである。
さらに、高圧放電ランプの点灯における安全性・信頼性確保も課題である。
【００１３】
そこで、高圧放電ランプの「使用時」ではなく「製造時」において対策を行うことができれば、上記の問題を全て解決できることになる。
【課題を解決するための手段】
【００１４】
本発明の第１の側面は、タングステン電極を有し石英ガラスからなる発光管を光源として、実使用点灯において水平設置される高圧放電ランプの製造方法であって、（Ａ）発光管を製作する工程、（Ｂ）発光管を初回点灯させる工程、及び（Ｃ）発光管を、実使用における鉛直軸が決まっている反射鏡に取り付ける工程を含み、工程（Ａ）が発光管の封止部に第１のマークを形成する工程を含み、工程（Ｂ）が、発光管の光軸を水平にして、光軸に垂直な面において第１のマークが光軸から横方向に位置するように固定して点灯する工程からなり、ここで横方向とは鉛直方向から４５°以上１３５°以下の範囲であり、工程（Ｃ）が（ｃ１）第１のマークが鉛直軸上に位置するように発光管を反射鏡に装着する工程を含む製造方法である。
【００１５】
本発明の第２の側面は、タングステン電極を有し石英ガラスからなる発光管を光源として、実使用点灯において水平設置される高圧放電ランプの製造方法であって、（Ａ）発光管を製作する工程、（Ｂ）発光管を初回点灯させる工程、及び（Ｃ）発光管を、実使用における水平軸が決まっている反射鏡に取り付ける工程を含み、工程（Ａ）が発光管の封止部に第１のマークを形成する工程を含み、工程（Ｂ）が、発光管の光軸を水平にして、光軸に垂直な面において第１のマークが光軸から縦方向に位置するように固定して点灯する工程からなり、ここで縦方向とは鉛直方向から±４５°の範囲であり、工程（Ｃ）が（ｃ１）第１のマークが水平軸上に位置するように発光管を反射鏡に装着する工程を含む製造方法である。
【００１６】
上記第１又は第２の側面において、反射鏡の実使用における鉛直軸又は水平軸が第２のマークによって表示されるようにして、工程（ｃ１）が、第１のマーク及び第２のマークが光軸を含む同一平面上に位置するように発光管を反射鏡に装着する工程からなるようにしてもよい。
【００１７】
上記第１又は第２の側面において、工程（Ｃ）が、さらに、（ｃ２）光軸を水平に保ち、光軸に対する第１のマークの方向が工程（Ｂ）と同一になるように固定して発光管を点灯させ、反射鏡に対する発光管の位置を決める工程、及び（ｃ３）発光管を反射鏡に固着する工程を含むようにしてもよい。
また、工程（Ｃ）の後に、（Ｄ）光軸を水平に保ち、光軸に対する第１のマークの方向が工程（Ｂ）と同一になるように固定して発光管を検査点灯する工程を含むようにしてもよい。
【００１８】
上記第１又は第２の側面において、第１のマークをレーザーマークによる印字としてもよいし、第１のマークをロット番号の印字としてもよい。もちろん、第１のマークをレーザーマークによるロットマークとしてもよい。
【００１９】
本発明の第３の側面は、タングステン電極を有し石英ガラスからなる発光管を光源として実使用点灯において水平設置される高圧放電ランプの製造方法であって、高圧放電ランプの出荷前に、発光管の光軸を水平にして発光管を初回点灯させる工程を含み、初回点灯させる工程での発光管の光軸に関する回転角が、実使用点灯での発光管の光軸に関する回転角に対して４５°以上１３５°以下の角度、好ましくは直角をなしている製造方法である。
【００２０】
さらに、初回点灯させる工程の前に、発光管の封止部にロットマークを付す工程を含み、発光管の光軸に関する回転角がロットマークの位置によって決定されるようにしてもよい。
【発明の効果】
【００２１】
本発明によれば、本発明は初回点灯によってタングステンが付着した箇所が実使用時に決して最上部に位置しないような構成としたので失透防止の効果を確実に得ることができる。
また、プロジェクタのコストアップ、大型化及び重量アップを伴わないで失透を防止できる。
さらに、プロジェクタ本体の改良ではなく、高圧放電ランプ側での改良により失透の問題を解決するので、既存のプロジェクタにおいて、当初のランプを改良されたランプに交換するだけで天吊りタイプの失透の問題を解消できる。
またさらに、本発明は高圧放電ランプを回転する構成を含まないので、高圧放電ランプ点灯における安全性・信頼性も従来製品と同様に確保できる。
【発明を実施するための最良の形態】
【００２２】
＜本発明の基本的概念＞
図２Ａに示すように、発光管１０は石英からなる発光部１１及び封止部１２が形成され、この封止部１２にはモリブデンからなる金属箔１５が、例えばシュリンクシールにより気密に埋設される。金属箔１５の一端にはタングステンからなる電極１３の軸部が接合しており、また金属箔１５の他端には外部モリブデンリード１６が接合して外部から給電されている。ロットマーク１４については後述する。
なお、説明の便宜上、図２Ｂに示すように、発光管１０の光軸方向をｚ軸、ｚ軸に垂直な面における水平方向をｘ軸、鉛直方向をｙ軸とする。
【００２３】
図３Ａ〜３Ｃは本発明の基本的概念を説明する図である。本発明では、実使用点灯では発光管１０の光軸が略水平に設置されることを前提としている。そして、初回点灯では、発光管１０の光軸を水平にし、発光管１０のｚ軸に関する回転角（向き）を、実使用点灯でのｚ軸に関する回転角（向き）に対して９０°異ならせて点灯するものである。なお、以下の説明では最も好適な例として異ならせる角度を９０°とする場合について説明するが、４５°以上１３５°以下の角度であれば本発明の効果が得られる。
【００２４】
即ち、発光管上にｘ−ｙ面内でのｚ軸に関する回転角を特定するマーク（以下、「Ｐ点」という）があるものとして、発光管１０がプロジェクタ内に配置されたときに、据置きタイプでは図３ＢのようにＰ点がｙ軸負方向（最下部）に、天吊りタイプではＰ点が図３Ｃのようにｙ軸正方向（最上部）に位置するという前提の下、初回点灯においては図３ＡのようにＰ点がｘ軸方向に位置するようにするものである。
同様に、（図示しないが）据置きタイプ又は天吊りタイプではＰ点がｘ軸方向に位置するという前提の下、初回点灯においてはＰ点がｙ軸方向に位置するようにしてもよい。
【００２５】
ここで、図３Ａの初回点灯において、先に説明したようにｙ軸負方向（最下部）付近にタングステン残留物が残る。以下の説明において、このタングステン残留物が付着した点をＱ点という。そして、実使用点灯において据置きタイプ（図３Ｂ）で利用する場合も天吊りタイプ（図３Ｃ）で利用する場合も、Ｑ点はｘ軸方向に位置することになる。
【００２６】
これにより、据置きタイプ及び天吊りタイプのどちらにおいてもタングステンが付着したＱ点が最上部にくることはなく、これにより失透が早期に発生してしまうのを防止できる。さらに、据置きタイプ及び天吊りタイプのどちらについても、従来の据置きタイプでの利用と比べて、失透の発生が早まることもないことが以下の実験により確認された。
【００２７】
表１は本発明と従来例を比較した実験結果を示すものである。なお、再度補足すると、Ｑ点とは初回点灯によってタングステン残留物が付着する付近の点を意味する。
【表１】
2010021095.tif 000003
【００２８】
サンプルＮｏ.０１〜０４は本発明の製造方法によるものであり、サンプルＮｏ.１１〜１４は従来の製造方法によるものである。いずれのサンプルについても、初回点灯時にＱ点は前述したようにｙ軸負方向（最下部）に形成される。
サンプルＮｏ.０１及び０２／Ｎｏ.０３及び０４はライフテスト時にＱ点の位置をｘ軸正方向／負方向に位置させるものであり、据置きタイプ／天吊りタイプを想定しているが、双方の点灯条件に実質的に有意差はない。
サンプルＮｏ.１１及び１２はライフテスト時にＱ点の位置をｙ軸負（下）方向に位置させるものであり、据置きタイプを想定している。
サンプルＮｏ.１３及び１４はライフテスト時にＱ点の位置をｙ軸正（上）方向に位置させるものであり、天吊りタイプを想定している。
【００２９】
表１から分かるように、従来の製造方法でかつ天吊りを想定したＮｏ.１３及び１４では１００時間経過時には早くも失透が発生し、３０００時間経過時には失透の進行や変形により使用に耐えないものとなっている。
一方、本発明の製造方法によるＮｏ.０１〜０４は据置きの場合も天吊りの場合も、発生した失透は、従来の製造方法でかつ据置きを想定したＮｏ.１１及び１２とほとんど変わらない程度である。
【００３０】
このように、本発明の製造方法によると、据置き、天吊りの別にかかわらず失透防止の効果を得ることができる。ここで重要なのは、本発明における失透発生の程度は、決して従来における据置きでの失透発生の程度と天吊りでの失透発生の程度の中間値的なものではなく、従来から良好とされていた据置きタイプと同等レベルになることである。言い換えると、従来から良好とされていた据置きタイプの良好な特性を損なうことなく、天吊りにおける失透防止効果も得ることができる。
【００３１】
またさらに重要なのは、特許文献１のように、実点灯において対策を施すのではなく、製造中の初回点灯時の工程等に対策を施すだけで実点灯中の失透防止効果を達成できることである。これにより、高圧放電ランプを各種プロジェクタに供給する場合に、その汎用性を確保することができる。又、プロジェクタ内同等の冷却をほどこしていない初回点灯時には石英ガラスの球部に対してｙ軸正方向には大きな引張り歪が残留しやすい為、その大きな歪を最上部（最高温部）にて使用し続けるとクラックや破裂を誘発しやすい。この部位を90°回転させることにより、歪の大きな部位が最上部（最高温部）に位置することなく破裂に対しても効果がみられる。
【００３２】
上述したように、本発明の製造方法により、製造方法を工夫するだけで据置き及び天吊り双方で失透を効果的に防止できることが可能となった。以下に、実施例を示す。
【実施例１】
【００３３】
図４Ａ〜４Ｅを参照して第１の実施例を説明する。なお、基本的な工程は先に説明した図１と同様であるので重複する説明は省略する。
ステップＳ１００の発光管作製の工程において、封止部３にレーザーマークによりロットマーク１４を印字する。Ｐ点のマークとしてロットマーク１４を用いることで、追加的な要素（新たな印字や新たな工程）を要せずにＰ点を特定できる。
【００３４】
ステップＳ１１０の初回点灯の工程において、図４Ａに示すように、ロットマーク１４がｘ軸方向に位置するようにして点灯を行なう。ここで、タングステン残留物がｙ軸負方向（最下部）に付着してＱ点が決まる。これによりロットマーク１４（Ｐ点）とタングステン付着部（Ｑ点）は光軸（ｚ軸）に関して直角の位置となる。
なお、以降の説明において、Ｐ点をｙ軸負方向に位置させた点灯を「０°点灯」、ｘ軸（正又は負）方向に位置させた点灯を「９０°点灯」、ｙ軸正方向に位置させた点灯を「１８０°点灯」という。従って、ステップＳ１１０では９０°点灯が行なわれ、実使用点灯では０°点灯又は１８０°点灯が行なわれることになる。
【００３５】
ステップＳ１２０において、図４Ｂに示すように、Moリード線１６にリード線１７及び必要に応じてトリガー線（図示せず）が取り付けられる。なお、この工程はステップＳ１１０の前に設けてもよい。
【００３６】
ステップＳ１３０の取り付け工程について、反射鏡２０は実使用（即ち、プロジェクタに組み込まれる際の）鉛直軸Ｙが決まっており、例えば、図４Ｃ又は４Ｄに示すように据置き時の最上部を示すＴＯＰマーク２１が付され、これによって鉛直軸Ｙが表示される。なお、ＴＯＰマークのような目印は通常の高圧放電ランプの反射鏡に存在するような目印である。
【００３７】
発光管を反射鏡に装着する工程では、鉛直軸Ｙ上にロットマーク１４が位置するように発光管１０が反射鏡２０に装着される。言い換えると、ｘ−ｙ面から見た場合、光軸、ロットマーク１４及びＴＯＰマーク２１が直線上に位置するように発光管１０が反射鏡２０に装着される。また、立体的には、ロットマーク１４及びＴＯＰマーク２１が光軸を含む同一平面上に位置することになる。
この時点で、タングステン付着部Ｑ点は水平方向（ｘ軸方向）に位置している。
【００３８】
なお、ＴＯＰマーク２１は印字、シール、形状的特徴等であればよい。もちろん、ＴＯＰマークの替わりに最下部を示すマーク等を用いてもよく、ロットマーク１４との位置関係を適宜定めればよい。
また、ＴＯＰマークのような明示的なマークがなくても、高圧放電ランプ３０をプロジェクタの本体４０に取り付ける際の反射鏡２０の鉛直軸Ｙが特定できる構成があれば、それを基準としてロットマーク１４の取り付け方向を決定すればよい。
【００３９】
ステップＳ１３０中の位置決め工程及びステップＳ１４０の検査点灯工程では、その点灯方向は０°点灯、９０°点灯、１８０°点灯のいずれであってもよいが、ここでも９０°点灯とすることによって、本発明の効果をより期待できる。
但し、位置決め工程及び検査工程での点灯時間はそれぞれ５分程度であり、ステップＳ１１０の初回点灯工程での点灯時間（２〜３時間）よりも短いため、あまり支配的ではない。従って、ステップＳ１３０及びＳ１４０では、製造に適した点灯方向を適宜選択すればよい。
【００４０】
ステップＳ１３０及びＳ１４０を経て高圧放電ランプ３０が完成し、これが出荷される。
出荷後のステップＳ２００において、図４Ｅに示すように、ＴＯＰマーク２１に従って高圧放電ランプ３０が所定の上下方向でプロジェクタの本体４０に組み込まれ、プロジェクタ５０が完成する。図４Ｅは据置き状態を示すものであり、天吊り状態はこれを上下反転したものとなる。なお、ステップＳ２００はプロジェクタの作製において通常の行なわれる工程である。
【００４１】
これにより、プロジェクタが据置き、天吊りのどちらで使用されてもタングステン残留物付着箇所（Ｑ点）が必ずｘ軸方向に位置することになり、従って、最上部（最高温部）に位置することはなく、据置き、天吊り双方の場合において失透を防止できる。
【実施例２】
【００４２】
図５Ａ〜５Ｄを参照して第２の実施例を説明する。なお、基本的な工程は先に説明した図１と同様であるので重複する説明は省略する。
また、ステップＳ１００の発光管作製の工程は実施例１と同様である。
【００４３】
ステップＳ１１０の初回点灯の工程において、図５Ａ又は５Ｂに示すように、ロットマーク１４がｙ軸方向に位置するようにして点灯を行なう。ここで、タングステン残留物がｙ軸負方向（最下部）に付着してＱ点が決まる。これによりロットマーク１４（Ｐ点）とタングステン付着部（Ｑ点）は光軸（ｚ軸）に関して同一方向又は対称方向の位置となる。
なお、実施例１と同様に、Ｐ点をｙ軸負方向に位置させた点灯を「０°点灯」、ｘ軸（正又は負）方向に位置させた点灯を「９０°点灯」、ｙ軸正方向に位置させた点灯を「１８０°点灯」という。従って、ステップＳ１１０では０°点灯又は１８０°点灯が行なわれ、実使用点灯では９０°点灯が行なわれることになる。
【００４４】
ステップＳ１２０において、実施例１の図４Ｂと同様に、Moリード線１６にリード線１７及び必要に応じてトリガー線（図示せず）が取り付けられる。なお、この工程はステップＳ１１０の前に設けてもよい。
【００４５】
ステップＳ１３０の取り付け工程について、反射鏡２０は実使用（即ち、プロジェクタに組み込まれる際の）水平軸Ｘが決まっており、例えば、図５Ｃ又は５Ｄに示すように側部にＳＩＤＥマーク２２が付され、これによって水平軸Ｘが表示される。
【００４６】
発光管を反射鏡に装着する工程では、水平軸Ｘ上にロットマーク１４が位置するように発光管１０が反射鏡２０に装着される。言い換えると、ｘ−ｙ面から見た場合、光軸、ロットマーク１４及びＳＩＤＥマーク２２が直線上に位置するように発光管１０が反射鏡２０に装着される。また、立体的には、ロットマーク１４及びＳＩＤＥマーク２２が光軸を含む同一平面上に位置することになる。
この時点で、タングステン付着部Ｑ点は水平方向（ｘ軸方向）に位置している。
【００４７】
なお、ＴＯＰマーク２１と同様に、ＳＩＤＥマーク２２も印字、シール、形状的特徴等であればよい。
また、ＳＩＤＥマークのような明示的なマークがなくても、高圧放電ランプ３０をプロジェクタの本体４０に取り付ける際の反射鏡２０の水平軸Ｘが特定できる構成があれば、それを基準としてロットマーク１４の取り付け方向を決定すればよい。
【００４８】
ステップＳ１３０のプロジェクタへランプを組み込む際のランプ位置決め時及びステップＳ１４０の検査点灯時では、その点灯方向は０°点灯、９０°点灯、１８０°点灯のいずれであってもよいが、ここでも０°又は１８０°点灯とすることによって、本発明の効果をより期待できる。
但し、ステップＳ１３０及びＳ１４０での点灯時間はそれぞれ５分程度であり、ステップＳ１１０の初回点灯工程での点灯時間（２〜３時間）よりも短いため、あまり支配的ではない。従って、ステップＳ１３０及びＳ１４０では、製造に適した点灯方向を適宜選択すればよい。
【００４９】
ステップＳ１３０及びＳ１４０を経て高圧放電ランプ３０が完成し、これが出荷される。
出荷後のステップＳ２００において、ＳＩＤＥマーク２２に従って高圧放電ランプ３０が所定の方向でプロジェクタの本体４０に組み込まれ、プロジェクタ５０が完成する。
【００５０】
本実施例においても、プロジェクタが据置き、天吊りのどちらで使用されてもタングステン付着箇所（Ｑ点）が必ずｘ軸方向に位置することになり、従って、最上部（最高温部）に位置することはなく、据置き、天吊り双方の場合において失透を防止できる。
【００５１】
＜その他の変形例＞
上記実施例では、最も好適な例としてＰ点を示すマークをレーザーマークによるロットマーク１４としたが、他の形態のマークを設けてもよい。例えば、封止部１２に凸部又は凹部等の形状的特徴を施してＰ点を決定してもよいし、シール等を貼り付けるようにしてもよい。また、封止部１２のｘ−ｙ断面形状を、例えば長円形とする等、その幅と高さが異なるようにして光軸（ｚ軸）に関する９０°回転を認識できるようにしてもよい。
【００５２】
上記実施例では、ロットマーク１４を初回点灯時にｘ軸（又はｙ軸）方向に、実使用点灯時にｙ軸（又はｘ軸）方向に位置するようにしたが、ロットマーク１４が初回点灯時と実使用点灯時に光軸（ｚ軸）に関して約９０°回転するようにすれば、ｘｙ座標にこだわらなくてもよい。
【００５３】
上記実施例では最も好適な例として「９０°点灯」の場合を示したが、「９０°」や「直角」を「４５°以上１３５°以下の角度」としても本発明の効果が得られる。
【００５４】
上記実施例では、出荷前のいずれかの工程において９０°点灯を行ない、その後０°点灯を確定させた状態で出荷する例を示したが、出荷時にも９０°点灯を確定させた状態として、その後にランプをプロジェクタに組み込む工程（Ｓ２００）で０°点灯が確定するようにしてもよい。
【００５５】
上記実施例では、ステップＳ１３０のプロジェクタへランプを組み込む際のランプの位置決め工程について、発光管１０を点灯させて位置合せを行ったが、発光管１０と反射鏡２０の形状的整合性や位置合せ治具の精度を高めることを条件として発光管１０を点灯させないで位置合せを行ってもよい。この場合は、当然にステップＳ１３０におけるｚ軸に関する点灯角度は任意でよい。
【図面の簡単な説明】
【００５６】
【図１】一般的な高圧放電ランプの製造方法を示す図である。
【図２Ａ】本発明を説明するための図である。
【図２Ｂ】本発明を説明するための図である。
【図３Ａ】本発明の実施例を説明する示す図である。
【図３Ｂ】本発明の実施例を説明する示す図である。
【図３Ｃ】本発明の実施例を説明する示す図である。
【図４Ａ】本発明の第１の実施例による製造方法を説明する図である。
【図４Ｂ】本発明の第１の実施例による製造方法を説明する図である。
【図４Ｃ】本発明の第１の実施例による製造方法を説明する図である。
【図４Ｄ】本発明の第１の実施例による製造方法を説明する図である。
【図４Ｅ】本発明の第１の実施例による製造方法を説明する図である。
【図５Ａ】本発明の第２の実施例による製造方法を説明する図である。
【図５Ｂ】本発明の第２の実施例による製造方法を説明する図である。
【図５Ｃ】本発明の第２の実施例による製造方法を説明する図である。
【図５Ｄ】本発明の第２の実施例による製造方法を説明する図である。
【符号の説明】
【００５７】
１０．発光管
１１．発光部
１２．封止部
１３．電極
１４．ロットマーク
１５．モリブデン箔
１６．モリブデンリード線
１７．リード線
２０．反射鏡
２１．ＴＯＰマーク
２２．ＳＩＤＥマーク
３０．高圧放電ランプ
４０．本体
５０．プロジェクタ
【図１】
2010021095.tif 000004
【図２Ａ】
2010021095.tif 000005
【図２Ｂ】
2010021095.tif 000006
【図３Ａ】
2010021095.tif 000007
【図３Ｂ】
2010021095.tif 000008
【図３Ｃ】
2010021095.tif 000009
【図４Ａ】
2010021095.tif 000010
【図４Ｂ】
2010021095.tif 000011
【図４Ｃ】
2010021095.tif 000012
【図４Ｄ】
2010021095.tif 000013
【図４Ｅ】
2010021095.tif 000014
【図５Ａ】
2010021095.tif 000015
【図５Ｂ】
2010021095.tif 000016
【図５Ｃ】
2010021095.tif 000017
【図５Ｄ】
2010021095.tif 000018